(57)【要約】      （修正有）【課題】カバー層側からレーザ光を照射して記録及び／又は再生する光情報記録媒体において、描画領域を内周側に拡大するとともに、カバー層及び基板の光入射面側の傷付きを防止することが可能な光情報記録媒体を提供。【解決手段】中心孔１１ａを有する基板１１のカバー層１４とは反対側の面（下面）には情報記録領域Ａより内周寄りのクランピングエリアＢの縁部近傍に第１の凸部１１ｄを有するとともに、情報記録領域Ａより外周寄りの領域Ｃには第２の凸部１１ｅを有する。そして、該基板１１上には、反射層１２、記録層１３及びカバー層１４をこの順に有する。このため光入射面の傷つきを防止し、カバー層の形成の邪魔をすることなく、レーベル面側の描画領域を拡大することができる。【選択図】  図１
2008130216.tif 000002
【特許請求の範囲】
【請求項１】
中心に孔を有する基板上に、記録層と、カバー層とをこの順に有し、該カバー層側からレーザ光が照射されることで記録及び／又は再生が行われる光情報記録媒体において、前記基板の前記記録層が設けられる側の面にプリグルーブを備えた情報記録領域を有し、前記基板の前記記録層が設けられる側の面とは反対側の面に、前記情報記録領域より内周寄りの前記基板の内周縁の近傍に設けられた第１の凸部と、該情報記録領域より外周寄りの前記基板の外周縁の近傍に設けられた第２の凸部とを有することを特徴とする光情報記録媒体。
【請求項２】
前記基板の前記情報記録領域とは反対側の表面からの前記第１の凸部の突出寸法ｈ１を前記表面からの第２の凸部の突出寸法ｈ２より大きくしたことを特徴とする請求項１記載の光情報記録媒体。
【請求項３】
中心に孔を有する基板上に、記録層と、カバー層とをこの順に有し、該カバー層側からレーザ光が照射されることで記録及び／又は再生が行われる光情報記録媒体において、前記基板の前記記録層が設けられる側の面とは反対側の面の前記基板の内周縁の近傍に第１の凸部を有し、前記基板の前記記録層が設けられる側の面に、プリグルーブを備えた情報記録領域と、該情報記録領域より外周寄りの前記カバー層の外周縁の近傍に設けられた第２の凸部と、を有することを特徴とする光情報記録媒体。
【請求項４】
前記基板の前記情報記録領域とは反対側の表面からの前記第１の凸部の突出寸法ｈ１を前記情報記録領域のカバー層の表面からの前記第２の凸部の突出寸法ｈ２より大きくしたことを特徴とする請求項３に記載の光情報記録媒体。
【請求項５】
前記基板の前記記録層が設けられる側の面とは反対の面側にインク受理層を有することを特徴とする請求項１〜４のいずれか一項に記載の光情報記録媒体。
【発明の詳細な説明】
【技術分野】
【０００１】
本発明は、ディスク状の光情報記録媒体であって、該光情報記録媒体のレーベル面（光入射面とは反対側の面）にスクリーン印刷やインクジェットプリンタ等により印字や描画することができる光情報記録媒体に関し、より具体的にはレーザ光照射により情報を記録することができる情報記録領域と、前記印刷や印字や描画することができる領域とを有する光情報記録媒体に関する。
【背景技術】
【０００２】
追記型ＣＤ（所謂ＣＤ−Ｒ）等の従来からのディスク状の光情報記録媒体においては、プリグルーブ等が設けられた光透過性基板の一方の面上に記録層及び反射層を形成した構造を有し、前記基板の他方の面側から通常７８０ｎｍ付近の波長のレーザ光が照射されて前記記録層にデータ記録及び／または前記記録層から再生されるように構成されている。上記光情報記録媒体のレーザ光が照射される面とは反対側の面は、通常レーベル面として利用されており、その表面に文字、記号、図形、模様またはこれらの組合せ等が印刷等により表示される。
また、追記型デジタル・ヴァーサタイル・ディスク（所謂ＤＶＤ−Ｒ）と称され上記ＣＤ−Ｒの半分以下のピッチでプリグルーブが設けられた光透過性基板の一方の面上に上記と同様に記録層及び反射層を形成した構造を有し、前記基板の他方の面側から通常６３０ｎｍ〜６８０ｎｍ付近の波長のレーザ光が照射されて前記記録層にデータ記録及び／または前記記録層から再生されるように構成された光情報記録媒体も提案されている。
上記のＣＤ−ＲやＤＶＤ−Ｒ等の光情報記録媒体においては、前記光透過性基板の射出成型する際に、予め、傷付き防止のための凸部を同時に設けている。これにより、光情報記録媒体を積層した際に、摺擦による光入射面の傷付きを防止している。
【０００３】
これに対し、最近では、地上波デジタルハイビジョンＴＶが急速に普及しており、上記ＤＶＤ−Ｒよりも更に短波長の青紫色のレーザ光で高密度の記録を行うことができるディスク状の光情報記録媒体の開発が進められている。
具体的には、追記型ブルーレイ・ディスク（所謂ＢＤ−Ｒ）等と称され、プリグルーブが設けられた基板上に記録層及びカバー層をこの順に形成した構造を有し、前記カバー層を有する面側から通常４００ｎｍ〜５００ｎｍ付近の波長の青紫色のレーザ光が照射されて前記記録層にデータ記録／及びまたは前記記録層から再生されるように構成された光情報記録媒体が提案されている。
また、上記のＢＤ−Ｒ等の光情報記録媒体において、上記光入射面の傷付きを防止する目的で、図４に示されるように、特許文献１には、基板２０１上に記録層２０３とカバー層２０４とをこの順に有する光情報記録媒体において、前記カバー層２０４を形成する際に、予め、カバー層２０４の内周及び／又は外周部に傷付き防止のための凸部２０４ａ，２０４ｂを同時に設け、これにより、光情報記録媒体を積載した際に、摺擦による光入射面の傷付きを防止することが提案されている。尚、上記の図は光情報記録媒体の中心から右側半分の領域を示し、左側半分の領域を省略したものである。
【特許文献１】特開２００５−１７４４０８号公報
【発明の開示】
【発明が解決しようとする課題】
【０００４】
しかしながら、上記特許文献１に記載の光情報記録媒体においては、カバー層２０４形成前の積載時に光入射面側が擦れて傷付きが生じやすかった。
【０００５】
本発明は、前記の如き問題点に鑑みてなされたものであり、本発明の目的は、カバー層側からレーザ光が照射されることで記録及び／又は再生が行われる光情報記録媒体において、前記カバー層及び前記基板の光入射面側の傷付きを防止することが可能な光情報記録媒体を提供することにある。
【課題を解決するための手段】
【０００６】
前記目的を達成するため、本発明の光情報記録媒体は、（１）中心に孔を有する基板上に、記録層と、カバー層とをこの順に有し、該カバー層側からレーザ光が照射されることで記録及び／又は再生が行われる光情報記録媒体において、前記基板の前記記録層が設けられる側の面にプリグルーブを備えた情報記録領域を有し、前記基板の前記記録層が設けられる側の面とは反対側の面に、前記情報記録領域より内周寄りの前記基板の内周縁の近傍に設けられた第１の凸部と、該情報記録領域より外周寄りの前記基板の外周縁の近傍に設けられた第２の凸部とを有するものである。（・・・以下、本発明の第１の課題解決手段と称する。）
【０００７】
また、上記光情報記録媒体の主要な形態の一つは、（２）前記基板の前記情報記録領域とは反対側の表面からの前記第１の凸部の突出寸法ｈ１を前記表面からの第２の凸部の突出寸法ｈ２より大きくしたものである。（・・・以下、本発明の第２の課題解決手段と称する。）
【０００８】
また、本発明の光情報記録媒体は、（３）中心に孔を有する基板上に、記録層と、カバー層とをこの順に有し、該カバー層側からレーザ光が照射されることで記録及び／又は再生が行われる光情報記録媒体において、前記基板の前記記録層が設けられる側の面とは反対側の面の前記基板の内周縁の近傍に第１の凸部を有し、前記基板の前記記録層が設けられる側の面に、プリグルーブを備えた情報記録領域と、該情報記録領域より外周寄りの前記カバー層の外周縁の近傍に設けられた第２の凸部と、を有するものである。（・・・以下、本発明の第３の課題解決手段と称する。）
【０００９】
また、上記光情報記録媒体の主要な形態の一つは、（４）前記基板の前記情報記録領域とは反対側の表面からの前記第１の凸部の突出寸法ｈ１を前記情報記録領域のカバー層の表面からの前記第２の凸部の突出寸法ｈ２より大きくしたものである。（・・・以下、本発明の第４の課題解決手段と称する。）
【００１０】
また、上記光情報記録媒体の他の形態の一つは、前記基板の前記記録層が設けられる側の面とは反対の面側にインク受理層を有するものである。（・・・以下、本発明の第５の課題解決手段と称する。）
【００１１】
上記第１の課題解決手段による作用は次の通りである。すなわち、前記基板の前記記録層が設けられる側の面にプリグルーブを備えた情報記録領域を有し、前記基板の前記記録層が設けられる側の面とは反対側の面に、前記情報記録領域より内周寄りの前記基板の内周縁の近傍に設けられた第１の凸部と、該情報記録領域より外周寄りの前記基板の外周縁の近傍に設けられた第２の凸部とを有するので、基板のクランピングエリアの凸部の高さ寸法を小さくした場合であっても積載時の傷付きを防止できる。
【００１２】
また、上記第２の課題解決手段による作用は次の通りである。すなわち、前記基板の前記情報記録領域とは反対側の表面からの前記第１の凸部の突出寸法ｈ１を前記表面からの第２の凸部の突出寸法ｈ２より大きくしたので、基板もしくは光情報記録媒体が積載された状態から個別に取り出す際に、下側の基板もしくは光情報記録媒体との間に減圧された気室が設けられて剥離ミスが生じるのを防止することができる。
【００１３】
また、上記第３の課題解決手段による作用は次の通りである。すなわち、前記基板の前記記録層が設けられる側の面とは反対側の面の前記基板の内周縁の近傍に第１の凸部を有し、前記基板の前記記録層が設けられる側の面に、プリグルーブを備えた情報記録領域と、該情報記録領域より外周寄りの前記カバー層の外周縁の近傍に設けられた第２の凸部と、を有するので、基板の内周側の凸部の高さ寸法を小さくした場合であっても積載時の傷付きを防止できる。
【００１４】
また、上記第４の課題解決手段による作用は次の通りである。すなわち、前記基板の前記情報記録領域とは反対側の表面からの前記第１の凸部の突出寸法ｈ１を前記情報記録領域のカバー層の表面からの前記第２の凸部の突出寸法ｈ２より大きくしたので、基板もしくは光情報記録媒体が積載された状態から個別に取り出す際に、下側の基板もしくは光情報記録媒体との間に減圧された気室が設けられて剥離ミスが生じるのを防止することができる。
【００１５】
また、上記第５の課題解決手段による作用は次の通りである。すなわち、前記基板の前記記録層が設けられる側の面とは反対の面側にインク受理層を有するので、インクジェットプリンタ等を用いてレーベル面の全域に亘って描画することができる。
【発明の効果】
【００１６】
本発明の光情報記録媒体によれば、光入射面の傷つきを防止し、カバー層の形成の邪魔をすることなく、レーベル面側に描画領域を有する光情報記録媒体を提供することができる。本発明の前記目的とそれ以外の目的、構成特徴、作用効果は、以下の説明と添付図面によって明らかとなろう。
【発明を実施するための最良の形態】
【００１７】
以下、本発明の光情報記録媒体の第１の実施形態について、図１を参照して説明する。図１は第１の実施形態の光情報記録媒体１０の内部構造の概要を示す部分拡大断面図である。尚、上記図１は光情報記録媒体１０の中心から右側半分の領域を示し、左側半分の領域を省略したものである。
【００１８】
図１に示すように、中心に孔１１ａを有する基板１１上に記録層１３とカバー層１４とをこの順に有し、該カバー層１４側からレーザ光が照射されることで記録及び／又は再生が行われるディスク状の光情報記録媒体１０である。
【００１９】
具体的には、中心に孔１１ａを有する円板状の基板１１の前記記録層１３が設けられる側の面にプリグルーブ１１ｂを備えた情報記録領域Ａを有する。また、前記基板１１の前記記録層１３が設けられる側の面とは反対側の面に、前記情報記録領域Ａより内周寄りの前記基板１１の内周縁の近傍に設けられた第１の凸部１１ｄと、該情報記録領域Ａより外周寄りの前記基板１１の外周縁の近傍に設けられた第２の凸部１１ｅとを有する。そして、該基板１１上には、反射層１２、記録層１３及びカバー層１４をこの順に有する。また、前記基板１１の内周縁の近傍の第１の凸部１１ｄ及び前記基板１１の外周縁の近傍の第２の凸部１１ｅは前記基板１１の成型と同時に設けられたものである。
ここで、上記情報記録領域Ａとは、前記基板１１の上面にトラッキングガイド用のプリグルーブ１１ｂが設けられた範囲内であって通常直径４６ｍｍ〜直径１１７ｍｍの範囲に設けられている。また、上記情報記録領域Ａより内周寄りには、通常、記録及び／又は再生時に該情報記録媒体１０を安定して保持するための平坦な領域である所謂クランピングエリアＢが設けられる。該クランピングエリアＢは、通常、直径２３ｍｍ〜直径３３ｍｍの範囲とされる。本実施形態における基板１１の内周縁の近傍とは、前記クランピングエリアＢよりさらに内周寄りの領域を指す。また、上記情報記録領域Ａより外周寄りとは、直径１１７ｍｍからディスク最外周縁部（通常直径１２０ｍｍ）までの領域を指す。
【００２０】
また、本実施形態においては、前記基板１１の前記情報記録領域Ａとは反対側の表面１１ｃからの前記第１の凸部１１ｄの突出寸法ｈ１（例：５０μｍ）を前記表面１１ｃからの第２の凸部１１ｅの突出寸法ｈ２（例：２０μｍ）より大きくしてある。
【００２１】
次に、上記基板１１の好ましい実施形態は次の通りである。すなわち、上記基板１１としては、従来の光情報記録媒体の基板材料として用いられている各種の材料を任意に選択して使用することができる。具体的には、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィン、ポリエステル樹脂、アルミニウム等の金属、ガラス等を挙げることができ、必要によりこれらを併用してもよい。上記材料の中では、成型性、耐湿性、寸法安定性及び低価格等の点から熱可塑性樹脂が好ましく、ポリカーボネートが特に好ましい。
これらの樹脂を用いた場合には、射出成型法を用いて基板１１を作成することができる。また、上記基板１１の厚さは０．９〜１．６ｍｍの範囲とすることが好ましい。
【００２２】
上記基板１１には、記録層１３が設けられる側の面に、トラッキングガイド用のプリグルーブ１１ｂが形成されている。また、上記プリグルーブ１１ｂのピッチは、通常５００ｎｍ以下であることが好ましい。
【００２３】
次に、上記記録層１３の好ましい実施形態は次の通りである。すなわち、上記記録層１３としては、色素を記録物質として含有する色素型とすることが好ましいが、これに限定するものではなく、無機追記型（ライトワンス型）等とすることもできる。中でも、レーザ光照射によりピットが形成されデータが記録される色素型の記録層であることが好ましい。上記色素としては、フタロシアニン色素、シアニン色素、アゾ系色素等が好ましい。上記記録層１３には、上記レーザ光の照射により音楽や画像、コンピュータプログラム等のデータ情報を記録及び／又は再生することができる。また、上記記録層１３は、上記色素を結合剤等と共に適当な溶剤に溶解して塗布液を調整し、次いで、この塗布液を、基板１１上に直接または他の層を介してスピンコート法やスクリーン印刷法等により塗布して塗膜を形成した後、乾燥することにより形成される。尚、前記他の層としては、後述する光反射層１２等がある。
【００２４】
次に、上記カバー層１４の好ましい実施形態は次の通りである。すなわち、上記カバー層１４としては、透明な紫外線硬化性樹脂を適当な溶剤に溶解して塗布液を調整し、次いで、この塗布液を上記情報記録領域Ａより内周寄りのクランピングエリアＢから該情報記録領域Ａより外周寄りの外周部Ｃに亘って前記記録層１３上を覆うようにスピンコート法やスクリーン印刷法等により塗布して塗膜を形成した後、乾燥し、紫外線を照射することにより形成される。上記カバー層１４の厚みは通常４００ｎｍ〜５００ｎｍ付近の波長の青紫色のレーザ光が照射されて前記記録層にデータ記録／及びまたは前記記録層から再生されるように構成されるために、通常０．１ｍｍであることが好ましい。
尚、上記記録層１３と上記カバー層１４の間に、記録特性等の調整や接着性向上あるいは記録層の保護等を目的とした層を形成しても良い。この場合には、それらの層と記録層１３及びカバー層１４を合わせた厚さが０．１ｍｍ程度であることが好ましい。
【００２５】
次に、上記基板１１の第１の凸部１１ｄの好ましい実施形態は次の通りである。すなわち、上記第１の凸部１１ｄとしては、上記基板１１の前記記録層１３が設けられる側の面とは反対側の面に、前記情報記録領域Ａ及び前記クランピングエリアＢより内周寄りの前記基板１１の内周縁の近傍に前記基板１１の成型と同時に形成されるのが好ましい。前記基板１１の前記情報記録領域Ａとは反対側の表面からの該第１の凸部１１ｄの突出寸法は３００μｍ以下が好ましく、５０μｍ以下がより好ましい。また、上記第１の凸部１１ｄの突出寸法は、１０μｍ以上が好ましい。また、上記第１の凸部１１ｄは、前記基板１１の孔を中心にリング状に形成されることが好ましい。
【００２６】
次に、上記基板１１の第２の凸部１１ｅの好ましい実施は次の通りである。すなわち、上記第２の凸部１１ｅとしては、前記第１の凸部１１ｄと同様に前記基板１１の前記記録層１３が設けられる側の面とは反対側の面に、前記情報記録領域Ａより外周寄りの領域Ｃの前記基板１１の外周縁の近傍に設けられることが好ましく、前記第１の凸部１１ｄと同様に前記基板１１の成型と同時に形成されるのが好ましい。前記基板１１の前記情報記録領域Ａとは反対側の表面からの該第２の凸部１１ｅの突出寸法は２００μｍ以下が好ましく、２０μｍ以下がより好ましい。また、上記第２の凸部１１ｅの突出寸法は、５μｍ以上が好ましい。また、上記第２の凸部１１ｅは、前記第１の凸部１１ｄと同様、前記基板１１の孔を中心にリング状に形成されることが好ましい。また、上記第１の凸部１１ｄの突出寸法と第２の凸部１１ｅの突出寸法との差は５μｍ以上が好ましい。
尚、前記背景技術に記載の光情報記録媒体においては、カバー層２０４の内周と外周とに同じ厚みの凸部が設けられているので、互いに重なる媒体の間に、上側に位置する媒体の基板の下面と、下側に位置する媒体の前記情報記録領域Ａのカバー層２０４の表面と前記カバー層２０４の内周側の凸部２０４ａと前記外周側の凸部２０４ｂとで囲まれる空間が生じる。このため、複数の媒体が積載された状態から最上部の媒体を引き剥がそうとすると、下側の光情報記録媒体との間に減圧された気室が生じることになり、剥離ミスにより傷付きや落下等が生じやすかった。これに対し、本実施形態においては、上記のように前記基板１１の前記情報記録領域Ａとは反対側の表面１１ｃからの前記第１の凸部１１ｄの突出寸法ｈ１を前記表面１１ｃからの第２の凸部１１ｅの突出寸法ｈ２より大きくしてある。このため、前記情報記録媒体１０に多少の撓みが生じた場合であっても上下の媒体にも同様の撓みを有するために、上側の媒体の基板の下面の第１の凸部１１ｄ及び第２の凸部１１ｅと下側の媒体のカバー層との接触が抑制され、前記背景技術のような閉じた空間が生じるのが防止されるので、剥離ミスが生じるのを防止することができる。
【００２７】
次に、上記光反射層１２の好ましい実施形態は次のとおりである。上記光反射層１２はデータの記録および／または再生用のレーザ光を反射させるものであり、本発明においては、レーザ光に対する反射率を高めたり、記録再生特性を改良する機能を付与するために、基板１１と記録層１３との間に、必要により設けることが好ましい。上記光反射層１２としては、Ａｕ，Ａｌ，Ａｇ，ＣｕあるいはＰｄ等の金属膜、これらの金属の合金膜あるいはこれらの金属に微量成分が添加された合金膜等が好ましく、スパッタリングや真空蒸着等の手段により前記基板１１のプリグルーブ１１ｂが形成された面上に形成される。
【００２８】
次に、本発明の光情報記録媒体の第２の実施形態について、図２を参照して説明する。図２は第２の実施形態の光情報記録媒体２０の内部構造の概要を示す部分拡大断面図である。尚、上記図２は光情報記録媒体２０の中心から右側半分の領域を示し、左側半分の領域を省略したものである。
【００２９】
図２に示すように、中心に孔２１ａを有する基板２１上に記録層２３とカバー層２４とをこの順に有し、該カバー層２４側からレーザ光が照射されることで記録及び／又は再生が行われるディスク状の光情報記録媒体２０である。
【００３０】
具体的には、中心に孔２１ａを有する円板状の基板２１の前記記録層２３が設けられる側の面にプリグルーブ２１ｂを備えた情報記録領域Ａを有する。また、前記基板２１の前記記録層２３が設けられる側の面とはとは反対側の面（下面）に、前記情報記録領域Ａより内周寄りの前記基板２１の内周縁の近傍に設けられた第１の凸部２１ｄと、前記情報記録領域Ａより外周寄りの前記基板２１の外周縁の近傍に設けられた第２の凸部２１ｅを有する。そして、該基板２１上には、反射層２２、記録層２３及びカバー層２４をこの順に有する。また、前記基板２１の内周縁の近傍の前記第１の凸部２１ｄ及び前記基板２１の外周縁の近傍の第２の凸部２１ｅは前記基板２１の成型と同時に設けられたものである。
【００３１】
また、本実施形態においては、前記基板２１の前記情報記録領域Ａの前記基板２１のカバー層２４とは反対側の表面２１ｃからの前記第１の凸部２１ｄの突出寸法ｈ１（例：５０μｍ）を前記表面２１ｃからの第２の凸部２１ｅの突出寸法ｈ２（例：２０μｍ）より大きくしてある。
【００３２】
また、本実施形態の光情報記録媒体２０は、前記基板２１の前記記録層２３が設けられる側の面とは反対の面側にインク受理層２６を有する点で先の第１の実施形態とは異なる。具体的には本実施形態の光情報記録媒体２０は、前記基板２１の前記記録層２３が設けられる側の面とは反対の面側に下地層２５を介してインク受理層２６を有するものである。
その他の構成及び作用効果は先の第１の実施形態と同様であるため、説明を省略する。
【００３３】
次に、上記下地層２５の好ましい実施形態は次の通りである。すなわち、上記下地層２５としては、紫外線硬化性樹脂と顔料とを主成分とするものが好ましく、例えば、紫外線硬化性樹脂と顔料とを含有する紫外線硬化型インクをスクリーン印刷法やスピンコート法等の手段により前記基板２１の前記記録層２３が設けられる側の面とは反対の面側に印刷し、その印刷膜を紫外線硬化させて形成することができる。この下地層２５は、上記基板２１及び後述するインク受理層２６が透明である場合に、前記反射層２２の金属光沢面が露出してしまうのを防止するために設けることが好ましい。
【００３４】
次に、上記インク受理層２６の好ましい実施形態は次の通りである。すなわち、上記インク受理層２６としては、紫外線硬化性樹脂を主成分とするものが好ましく、例えば前記紫外線硬化性樹脂と、そのほかのバインダー成分と、粘度調整剤と、顔料及びその他の成分とを混合して得られる紫外線硬化型インクをスクリーン印刷法やスピンコート法等の手段により印刷し、ついで紫外線を照射することにより硬化させて、前記基板２１上に直接もしくは前述の下地層２５を介して形成される。
また、前記顔料としては、有機、無機の着色用顔料や、シリカ、アルミナ、水酸化アルミニウム、クレイ等の無機フィラー、あるいはアクリルビーズ、ナイロンビーズ、ゴム微粒子等の有機フィラー等が挙げられ、これらを単独種もしくは任意の複数種を併用してもよい。
【００３５】
次に、本発明の光情報記録媒体の第３の実施形態について、図３を参照して説明する。図３は第３の実施形態の光情報記録媒体３０の内部構造の概要を示す部分拡大断面図である。尚、上記の図は光情報記録媒体３０の中心から右側半分の領域を示し、左側半分の領域を省略したものである。
【００３６】
図３に示すように、中心に孔３１ａを有する基板３１上に記録層３３とカバー層３４とをこの順に有し、該カバー層３４側からレーザ光が照射されることで記録及び／又は再生が行われるディスク状の光情報記録媒体３０である。
【００３７】
具体的には、中心に孔３１ａを有する円板状の基板３１の前記記録層３３が設けられる側の面とは反対側の面の前記基板３１の内周縁の近傍に第１の凸部３１ｄを有する。また、前記基板３１の前記記録層３３が設けられる側の面に、プリグルーブ３１ｂを備えた情報記録領域Ａを有する。そして、該基板３１上には、反射層３２、記録層３３及びカバー層３４をこの順に有する。そして、該情報記録領域Ａより外周寄りの領域Ｃの前記カバー層３４の外周縁の近傍には第２の凸部３４ｂを有する。また、前記基板３１の内周縁の近傍の第１の凸部３１ｄは前記基板３１の成型と同時に設けられたものである。また、前記カバー層３４の外周縁の近傍の第２の凸部３４ｂは前記カバー層３４のスピンコート法による形成時に一体に形成されたものである。
【００３８】
また、本実施形態においては、前記基板３１の前記情報記録領域Ａとは反対側の表面３１ｃからの前記第１の凸部３１ｄの突出寸法ｈ１（例：５０μｍ）を前記情報記録領域Ａのカバー層３４の表面３４ａからの第２の凸部３４ｂの突出寸法ｈ２（例：２０μｍ）より大きくしてある。
このため、前記媒体に多少の撓みが生じた場合であっても上下の媒体にも同様の撓みを有するために、上側の媒体の基板の下面と下側の媒体のカバー層３４の第２の凸部３４ｂとの接触が抑制され、前記背景技術のような閉じた空間が生じるのが防止されるので、剥離ミスが生じるのを防止することができる。
本実施形態が先の第１の実施形態と異なる点は、先の第１の実施形態の第２の凸部が前記基板１１の前記前記記録層が設けられる側の面とは反対側の面に、前記基板１１と一体に設けられていたのに対し、本実施形態では、前記基板３１の前記記録層が設けられる側の面に、前記カバー層３４の外周縁の近傍に該カバー層と一体に設けられている点で異なる。その他の構成及び作用効果は先の第１の実施形態と同様であるため、説明を省略する。
【００３９】
次に、本発明の光情報記録媒体の第４の実施形態について、図４を参照して説明する。図４は第４の実施形態の光情報記録媒体４０の内部構造の概要を示す部分拡大断面図である。尚、上記図４は光情報記録媒体４０の中心から右側半分の領域を示し、左側半分の領域を省略したものである。
【００４０】
図４に示すように、中心に孔４１ａを有する基板４１上に記録層４３とカバー層４４とをこの順に有し、該カバー層４４側からレーザ光が照射されることで記録及び／又は再生が行われるディスク状の光情報記録媒体４０である。
【００４１】
具体的には、中心に孔４１ａを有する円板状の基板４１の前記記録層４３が設けられる側の面とは反対側の面の前記基板の内周縁の近傍に第位置の凸部４１ｄを有する。また、前記基板４１の前記記録層４３が設けられる側の面に、プリグルーブ４１ｂを備えた情報記録領域Ａを有する。そして、該基板４１上には、反射層４２、記録層４３及びカバー層４４をこの順に有する。そして、該情報記録領域Ａより外周寄りの領域Ｃの前記カバー層４４の外周縁の近傍に設けられた第２の凸部４４ｂを有する。また、前記基板４１の内周縁の近傍の第１の凸部４１ｄは前記基板４１の成型と同時に設けられたものである。また、前記カバー層４４の外周縁の近傍縁の第２の凸部４４ｂは前記カバー層４４のスピンコート法による形成時に一体に形成されたものである。
【００４２】
また、本実施形態においては、前記基板４１の前記情報記録領域Ａとは反対側の表面４１ｃからの前記第１の凸部４１ｄの突出寸法ｈ１（例：５０μｍ）を前記情報記録領域Ａのカバー層４４の表面４４ａからの第２の凸部４４ｂの突出寸法ｈ２（例：２０μｍ）より大きくしてある。
このため、前記媒体に多少の撓みが生じた場合であっても上下の媒体にも同様の撓みを有するために、上側の媒体の基板の下面と下側の媒体のカバー層４４の第２の凸部４４ｂとの接触が抑制され、前記背景技術のような閉じた空間が生じるのが防止されるので、剥離ミスが生じるのを防止することができる。
【００４３】
また、本実施形態の光情報記録媒体４０は、前記基板４１の前記記録層４３が設けられる側の面とは反対の面側にインク受理層４６を有する点で先の第３の実施形態とは異なる。具体的には本実施形態の光情報記録媒体４０は、前記基板４１の前記記録層４３が設けられる側の面とは反対の面側に下地層４５を介してインク受理層４６を有するものである。その他の構成及び作用効果は先の第１の実施形態と同様であるため、説明を省略する。
【図面の簡単な説明】
【００４４】
【図１】本発明の光情報記録媒体の第１の実施形態の内部構造の概要を示す部分拡大断面図である。
【図２】本発明の光情報記録媒体の第２の実施形態の内部構造の概要を示す部分拡大断面図である。
【図３】本発明の光情報記録媒体の第３の実施形態の内部構造の概要を示す部分拡大断面図である。
【図４】本発明の光情報記録媒体の第４の実施形態の内部構造の概要を示す部分拡大断面図である。
【図５】背景技術を示す部分拡大断面図である。
【符号の説明】
【００４５】
１０：光情報記録媒体
１１：基板
１１ａ：孔
１１ｂ：プリグルーブ
１１ｃ：基板の表面（下面）
１１ｄ：第１の凸部
１１ｅ：第２の凸部
１２：反射層
１３：記録層
１４：カバー層
１４ａ：カバー層の表面
２０：光情報記録媒体
２１：基板
２１ａ：孔
２１ｂ：プリグルーブ
２１ｃ：基板の表面（下面）
２１ｄ：第１の凸部
２１ｅ：第２の凸部
２２：反射層
２３：記録層
２４：カバー層
２４ａ：カバー層の表面
２５：下地層
２６：インク受理層
３０：光情報記録媒体
３１：基板
３１ａ：孔
３１ｂ：プリグルーブ
３１ｃ：基板の表面（下面）
３１ｄ：第１の凸部
３２：反射層
３３：記録層
３４：カバー層
３４ａ：カバー層の表面
３４ｂ：第２の凸部
４０：光情報記録媒体
４１：基板
４１ａ：孔
４１ｂ：プリグルーブ
４１ｃ：基板の表面（下面）
４１ｄ：第１の凸部
４２：反射層
４３：記録層
４４：カバー層
４４ａ：カバー層の表面
４４ｂ：第２の凸部
４５：下地層
４６：インク受理層
Ａ：情報記録領域
Ｂ：クランピングエリア
Ｃ：領域
ｈ１：突出寸法
ｈ２：突出寸法
【図１】
2008130216.tif 000003
【図２】
2008130216.tif 000004
【図３】
2008130216.tif 000005
【図４】
2008130216.tif 000006
【図５】
2008130216.tif 000007